(57)【特許請求の範囲】
【請求項１】
所定の動作機能を実行する電子機器と、
この電子機器に連結され、当該機器からの出力を加工動作するオプション装置と、
を具備する電子機器システムであり、
前記電子機器は、この電子機器の電源を外部からの操作によってオンする電源スイッチと、前記オプション装置からの外部供給電源ケーブルが接続される供給電源入力部とを有し、前記オプション装置は、このオプション装置の電源を外部からの操作によってオンする電源スイッチと、当該オプション装置が前記電子機器に連結されたとき前記電子機器の前記電源スイッチをオン制御する電源操作部と、外部商用電源が入力される主電源入力部と、この主電源入力部で供給された電源を外部に供給する前記外部供給電源ケーブルとを有し、
前記オプション装置の前記電源スイッチがオンされると、前記オプション装置および前記電子機器の双方に前記主電源入力部から供給された前記電源が供給され、前記オプション装置の前記電源スイッチがオフされると、前記オプション装置および前記電子機器の双方への前記電源の供給がオフされることを特徴とする電子機器システム。
【請求項２】
前記電子機器の前記供給電源入力部は、前記外部供給電源ケーブルおよび前記外部商用電源に接続する主電源ケーブルが共通して接続可能な電源コネクタである請求項１記載の電子機器システム。
【発明の詳細な説明】
【技術分野】
【０００１】
本発明は電子機器システムに係り、例えばプリンタ、複写機、ファクシミリ機又はこれらの機能を有する複合機（ＭＦＰ：Multi Function Peripheral）等の電子機器と、その複合機から排紙された用紙に後処理する後処理装置等のオプション装置とからなる電子機器システムの改良に関する。
【背景技術】
【０００２】
電子機器例えば画像形成装置は、原稿上の画像情報から画像データを光学的に読み取り、その画像データに基づきトナー像を形成して用紙に転写させ、トナー像の転写された用紙を加熱定着させて排紙する印刷（印字）機能、その他の処理機能を有している。
【０００３】
そして、このような画像形成装置には、排紙された用紙に対するパンチ孔の穿孔処理、ステープル処理等の後処理を実行する後処理装置（オプション装置）を連結し、この後処理装置によって画像形成装置から排紙された用紙に対して穿孔処理、ステープル処理等を実行する画像形成システムが提供されている。
【０００４】
このような画像形成システムにおいて電源を供給するには、例えば図４に示すように構成するのが一般的である。
【０００５】
すなわち、画像形成装置Ａには、当該装置のケース１に外部商用電源ＡＣに接続する主電源ケーブル３を挿入接続するコネクタとしてのインレット５と、後処理装置Ｂから延びる外部供給電源ケーブル７の一端が挿入接続されるコネクタとしてのアウトレット９とが配置されている。符号１１は、画像形成装置Ａの電源スイッチである。
【０００６】
他方、後処理装置Ｂには、ケース１３から外部にブッシング１５を介して導出した上述する外部供給電源ケーブル７を有している。
【０００７】
このような画像形成システムでは、後処理装置Ｂから延びる外部供給電源ケーブル７の一端を画像形成装置Ａのアウトレット９に挿入接続した状態の下で、画像形成装置Ａの電源スイッチ１１をオン動作させ、外部商用電源ＡＣから主電源ケーブル３を介して主電源を画像形成装置Ａに供給するとともに、当該装置Ａ内部で分岐させた主電源を外部供給電源ケーブル７を介して後処理装置Ｂ側へ供給し、画像形成装置Ａおよび後処理装置Ｂの動作を確保している。
【０００８】
なお、特開平９−１７５４７７号公報（特許文献１）はこの種のごく一般的な特許文献である。
【先行技術文献】
【特許文献】
【０００９】
【特許文献１】特開平９−１７５４７７号公報
【発明の概要】
【発明が解決しようとする課題】
【００１０】
しかしながら、上述した従来の画像形成システムでは、画像形成装置Ａに、外部商用電源ＡＣから主電源を入力する主電源ケーブル３を挿入接続するインレット５の他、後処理装置Ｂへ電源を供給する外部供給電源ケーブル７の一端が挿入接続されるアウトレット９の双方を配置する必要がある。
【００１１】
他方、ユーザの中には後処理装置Ｂを購入又は使用せずに画像形成装置Ａのみ単独で使用する例があり、このような状況においては、アウトレット９が不要であるうえ、未使用時の保護用にインレット５の保護カバー（図示せず。）が必要になり、全体のコストアップを招き易い難点がある。
【００１２】
本発明はそのような課題を解決するためになされたもので、電子機器にオプション装置を連結する構成において、双方への電源供給が可能で、電子機器における構成の簡素化および部品点数の削減を介してコストダウンが図れる電子機器システムの提供を目的とする。
【課題を解決するための手段】
【００１３】
そのような課題を解決するために本発明の請求項１に係る電子機器システムは、所定の動作機能を実行する電子機器と、この機器に連結され、当該電子機器からの出力を加工動作するオプション装置とを具備する電子機器システムであり、上記電子機器が、この電子機器の電源を外部からの操作によってオンする電源スイッチと、上記オプション装置からの外部供給電源ケーブルが接続される供給電源入力部とを有し、上記オプション装置が、このオプション装置の電源を外部からの操作によってオンする電源スイッチと、当該オプション装置が電子機器に連結されたとき電子機器の電源スイッチをオン制御する電源操作部と、外部商用電源が入力される主電源入力部と、この主電源入力部で供給された電源を外部に供給する外部供給電源ケーブルとを有している。
【００１４】
本発明の請求項１に係る電子機器システムは、上記オプション装置の電源スイッチがオンされると、それらオプション装置および電子機器の双方に主電源入力部から供給された電源が供給され、そのオプション装置の電源スイッチがオフされると、それらオプション装置および電子機器の双方への電源の供給がオフされる構成である。
【００１５】
本発明の請求項２に係る電子機器システムは、上記電子機器の供給電源入力部が、それら外部供給電源ケーブルおよび外部商用電源に接続する主電源ケーブルが共通して接続可能なコネクタである構成を有している。
【発明の効果】
【００１６】
このような本発明の請求項１に係る電子機器システムでは、そのオプション装置からの外部供給電源ケーブルが上記電子機器の供給電源入力部に接続されていれば、上記オプション装置にて主電源入力部から外部商用電源が入力されると、そのオプション装置から外部供給電源ケーブルを介して電源が電子機器へ供給されるから、電子機器にオプション装置を連結する構成において、双方への電源供給が可能である一方、その電子機器を単独で使用する場合、機器側に外部供給電源出力部やこの保護カバーが不要になり、その構成の簡素化および部品点数の削減を介してコストダウンを図れる。
【００１７】
本発明の請求項１に係る電子機器システムでは、上記電子機器が、この機器の電源を外部からの操作によってオンする電源スイッチを有し、上記オプション装置が、このオプション装置が電子機器に連結されたとき電源スイッチをオン制御する電源操作部を有するから、オプション装置を電子機器に連結すれば、オプション装置の電源スイッチを介して双方をオプション装置側でオンオフ制御することが可能で、操作性が向上する。
【００１８】
本発明の請求項２に係る電子機器システムでは、上記電子機器の供給電源入力部が、それら外部供給電源ケーブルおよび外部商用電源に接続する主電源ケーブルが共通して接続可能なコネクタであるから、その電子機器を単独で使用する場合、外部商用電源に接続する主電源ケーブルを介して電子機器側に外部商用電源を直接入力可能となり、取扱いが簡素化される。
【図面の簡単な説明】
【００１９】
【図１】本発明に係る電子機器システムの実施の形態を示す概略構成図である。
【図２】本発明に係る電子機器システムの概略回路図である。
【図３】本発明に係る電子機器システムの使用例を説明する図である。
【図４】従来の電子機器システムを示す概略構成図である。
【発明を実施するための最良の形態】
【００２０】
以下、本発明に係る電子機器システムの実施の形態を図面を参照して説明する。なお、従来構成と共通する部分には同一の符号を付す。
【００２１】
図１は本発明に係る電子機器システムとしての画像形成システムの実施の形態を示す概略構成図である。
【００２２】
図１おいて、本発明の画像形成システムは、本体構造としての画像形成装置Ａと、これに連結して使用される後処理装置Ｂとを有して構成されている。
【００２３】
画像形成装置Ａは、印刷機能やファクシミリ送受信機能、電子メール送受信機能等の所定の電子的動作機能を実行する電子機器であり、そのケース１にオプション装置Ｂからの外部供給電源ケーブル７が接続される雄コネクタとしてのインレット（供給電源入力部）５を有する他、後述する構成を有している。
【００２４】
インレット５は、上述した図４に示したように、外部商用電源ＡＣに接続する主電源ケーブル３が挿入接続されるコネクタとしての機能を有している。
【００２５】
画像形成装置Ａのケース１には、電源スイッチ１７がオプション装置Ｂとの連結面から外部に向けるようにして配置されており、後述するように後処理装置Ｂによってオンオフ操作可能になっている。
【００２６】
そして、画像形成装置Ａは、図示はしないが、画像読取部、記憶部、操作パネル部、印刷部および主制御部等を有し、例えば複合機を構成している。
【００２７】
すなわち、画像形成装置Ａは、供給された電源によって動作し、例えば、操作パネル部からの印刷用紙の選択や印刷実行の指示に基づき、主制御部１の制御の下、画像読取部で原稿から画像を光学的に読み込んで電子的画像データを生成して記憶部に記憶させる一方、内蔵された用紙セット用の複数の給紙段から用紙を選択的に１次給紙するとともに２次給紙する過程で、用紙に対し記憶画像データに基づくトナー像を印刷部で転写定着し、それを排紙するモノクロ印刷又はカラー印刷機能を有している。
【００２８】
後処理装置Ｂは、画像形成装置Ａからの出力を加工動作するオプション装置であり、当該ケース１３には、外部商用電源ＡＣに接続する主電源ケーブル３が挿入接続される主電源入力部としての雄コネクタであるインレット１９と、このインレット１９で供給された電源を外部に供給する外部供給電源ケーブル７とが配置されている。
【００２９】
図１中の後処理装置Ｂにおける符号１５は外部供給電源ケーブル７をケース１３から導出するブッシング、符号２１は後処理装置Ｂの電源スイッチ、符号２３は画像形成装置Ａに後処理装置Ｂが連結されたとき画像形成装置Ａ側の電源スイッチ１７を押圧する等してオン制御する電源操作部である。
【００３０】
後処理装置Ｂは、図示は省略するが、供給された電源によって動作し、例えば、画像形成装置Ａの主制御部に接続されたステープル処理部、パンチ処理部および後処理制御部等を有して構成され、後処理制御部の制御の下、画像形成装置Ａの主制御部からの後処理指示情報に基づき、画像形成装置Ａから搬入された用紙を部毎にピンで止めるステープル処理をしたり、用紙にパンチ孔を空けるパンチ処理を部毎に実行する機能を有している。
【００３１】
図２は、本発明に係る画像形成システムの概略回路図であり、同図において、画像形成装置側電源部２５は主電源の交流（ＡＣ）１００Ｖから例えば５Ｖ、３Ｖ又は１．５Ｖ程度の直流（ＤＣ）電源を生成し、画像読取部、記憶部、操作パネル部、印刷部および主制御部等に供給する電源生成部であり、後処理装置側電源部２７は主電源の交流（ＡＣ）１００Ｖから例えば５Ｖ、３Ｖ又は１．５Ｖ程度の直流（ＤＣ）電源を生成し、ステープル処理部、パンチ処理部および後処理制御部等に供給する電源生成部である。
【００３２】
次に、本発明に係る画像形成システムの使用例を説明する。
【００３３】
まず、画像形成装置Ａに後処理装置Ｂを連結させ、後処理装置Ｂ側のインレット１９に一端を挿入接続した主電源ケーブル３の他端を外部商用電源ＡＣに接続するとともに、外部供給電源ケーブル７の先端を画像形成装置Ａのインレット５に挿入接続しておく。
【００３４】
画像形成装置Ａに後処理装置Ｂが連結された状態では、画像形成装置Ａ側の電源スイッチ１７が後処理装置Ｂの電源操作部２３によってオン制御されるから、後処理装置Ｂの電源スイッチ２１をオン操作すると、後処理装置Ｂに供給された外部商用電源ＡＣ（主電源１００Ｖ）が外部供給電源ケーブル７を介して画像形成装置Ａへ供給され、画像形成装置Ａおよび後処理装置Ｂのいずれもが動作状態になる。
【００３５】
そして、画像形成装置Ａに後処理装置Ｂを連結させずに画像形成装置Ａを単独で使用する場合には、図３に示すように、インレット５に一端を挿入接続した主電源ケーブル３の他端を外部商用電源ＡＣに接続すれば、画像形成装置Ａに外部商用電源ＡＣ（主電源１００Ｖ）が独立して供給され、その動作が確保される。
【００３６】
このように、本発明に係る画像形成システムは、印刷動作機能等を実行する画像形成装置（電子機器）Ａと、この装置Ａに連結され、当該装置Ａからの出力を加工動作する後処理装置（オプション装置）Ｂとを具備し、その後処理装置Ｂが、外部商用電源を入力するインレット１９（主電源入力部）と、このインレット１９で供給された電源を外部に供給する外部供給電源ケーブル７とを有し、上記画像形成装置Ａが、その後処理装置Ｂの外部供給電源ケーブル７が接続されるインレット（供給電源入力部）５とを有するとともに、上記画像形成装置Ａのインレット５がそれら外部供給電源ケーブル７および外部商用電源に接続する主電源ケーブル３が共通して接続可能なコネクタである構成を有している。
【００３７】
そのため、後処理装置Ｂから外部供給電源ケーブル７を介して主電源が画像形成装置Ａにも供給されるから、画像形成装置Ａおよび後処理装置Ｂの双方の動作確保が可能であるし、画像形成装置Ａを単独で使用する場合、その装置側にアウトレット９やこの保護カバーが不要になり、構成の簡素化および部品点数の削減を介してコストダウンを図ることが容易である。
【００３８】
しかも、画像形成装置Ａのインレット５が、それら外部供給電源ケーブル７および外部商用電源に接続する主電源ケーブル３が共通して接続可能なコネクタであるから、その画像形成装置Ａを単独で使用する場合、主電源ケーブル３を介して装置Ａ側に外部商用電源を直接入力可能となり、構成部品の共通化を介して構成や取扱いが簡素化される。
【００３９】
もっとも、画像形成装置Ａのインレット５は、外部供給電源ケーブル７および主電源ケーブル３が共通して接続可能なコネクタに限定されない。
【００４０】
さらに、本発明の画像形成システムでは、画像形成装置Ａには外部からの操作によって電源をオンオフする電源スイッチ１７を有し、後処理装置Ｂには、これが画像形成装置Ａに連結されたとき電源スイッチ１７をオン制御する電源操作部２３を有するから、後処理装置Ｂを画像形成装置Ａに連結すれば、後処理装置Ｂの側から双方をオンオフ制御することが可能で、操作性が向上する。
【００４１】
また、本発明の画像形成装置Ａおよび後処理装置Ｂにおける、インレット５、１９は任意の形状の供給電源入力部や主電源入力部で実施可能であるが、安全性の観点からケース１、１３内側に埋没する雄コネクタが好適する。
【００４２】
そして、本発明の電子機器システムは、画像形成装置Ａとこれに連結される後処理装置Ｂの組合せに限らず、種々の電子機器とこの機器からの物理的又は電子的な出力を物理的又は電子的に加工するオプション装置との組合せに広く応用可能である。
【符号の説明】
【００４３】
１  ケース
３  主電源ケーブル
５  インレット（供給電源入力部）
７  外部供給電源ケーブル
９  アウトレット
１１  電源スイッチ
１３  ケース
１５  ブッシング
１７  電源スイッチ
１９  インレット（主電源入力部）
２１  ブッシング
２３  電源操作部
２５  画像形成装置側電源部
２７  後処理装置側電源部
Ａ  画像形成装置
Ｂ  後処理装置
【図１】
0005409543.tif 000002
【図２】
0005409543.tif 000003
【図３】
0005409543.tif 000004
【図４】
0005409543.tif 000005